(57)【要約】【課題】  平鋼をねじったねじり平鋼は、正確にピッチを測定すると、ピッチ毎に寸法が違っていた。この不均一なピッチのねじり平鋼を、正確なピッチに修正する。【解決手段】  円筒形の外周に、断面がほぼ半円形をした突起物を、正確なピッチで螺旋状に巻き付けたローラーを作る。このローラーを二つ平行に並べて、間にねじり平鋼を挟んで強く締め付ける。この状態でローラーを回すと、ねじり平鋼の不揃いピッチは、ローラーの突起物の正確なピッチにより修正されて、出てくる。【選択図】  図６
2008284595.tif 000002
【特許請求の範囲】
【請求項１】
円筒形の外周（３）に、ほぼ半円形をした突起物（４）を螺旋状に巻き付けたローラー（２）を二個作り、このローラーを平行に並べて、間にねじり平鋼を挟み、ローラーを回わす事により、ねじり平鋼の不均一なピッチを、正確なピッチに修正する事を特徴とする、ねじり平鋼ピッチの修正方法。
【請求項２】
円筒形の外周（３）に、ほぼ半円形をした突起物（４）を螺旋状に巻き付けたローラー（２）を二個作り、各ローラーに、各々軸Ａ（７）を通し、軸Ａの両端を軸受Ａ（８）で支え、二個のローラーを平行に並べて、間にねじり平鋼を挟むようにして台（９）の上に設置し、各軸Ａの一方の端に、各々ウォームホイル（10）を取付け、次に軸Ｂ（12）に二個のウォーム（11）を通し、軸Ｂの両端を軸受Ｂ（13）で支え、ウォームとウォームホイルを各々噛み合わせて、台（9）の上に設置し、更に軸Ｂの一方の端にカップリング（14）を付けて、モーター（15）の出力軸と結合した事を特徴とする、請求項１記載のねじり平鋼ピッチの修正機。
【発明の詳細な説明】
【技術分野】
【０００１】
本発明は、平鋼をねじって ねじり平鋼を作り、そのねじり平鋼のピッチを正確な物に修正する方法と、修正する機械に関するものである。
【背景技術】
【０００２】
ねじり平鋼は、図１に示すような形状をしていて、材質は鉄、アルミ、ステンレスを使用している。ねじり平鋼の製造技術は、本出願人が始めて開発に成功し、現在ねじり平鋼製造機械を設置して、ねじり平鋼を製造販売している。(特願平9-123106 参照)  
ねじり平鋼は構築物の基礎杭に多く使用する他、搬送装置や建物内外の装飾品に使われている。
【特許文献１】特願平  ８−２５７３０７（第２図）
【特許文献２】特願平１１−３５６３９７（第1図）
【発明の開示】
【発明が解決しようとする課題】
【０００３】
従来のねじり平鋼は、見たところピッチが揃っているように見えるが、測定するとピッチ毎に寸法が違っていた。この為搬送装置の送りねじに使うと、ナットが引っ掛かって動かなかった。又ねじり平鋼を多く縦に並べて、壁面の装飾に使うと、ピッチが揃わないので見苦しかった。
このピッチが不揃いの原因は、平鋼の材質の不均一によるもので、解決が難しかった。この為、正確なピッチのねじり平鋼を製作する事が課題である。
【課題を解決するための手段】
【０００４】
最初から正確なピッチのねじり平鋼を製作するには、経費がかかり困難が伴うので、従来の製造機械で製作したねじり平鋼を、正確なピッチに修正する事にした。
その修正方法を説明すると、先ず図２に示すように、図３で示す円筒形の外周（３）に、図４で示すような、ねじれ角に直角な断面が、ほぼ半円形をした突起物（４）を螺旋状に巻き付けたローラー（２）を作る。
この突起物はねじり平鋼に食い込むように出来ていて、突起物のピッチ（Ｐ）とねじり角は、ねじり平鋼のピッチとねじり角と同じにして、極めて正確に作られていている。
【０００５】
そこで図6に示す如く、右ねじりのねじり平鋼（１）の両側に、二個の左ねじりのローラー（２）を平行に並べ強く挟み付ける。この時の断面図は図7、図8に示すようになり、二個のローラーはねじり平鋼に密着している。  
そこで二つのローラーを、同じ方向に同じ速度で、矢印のように回転させると、ねじり平鋼は矢印の如く、ローラーの間を通過する。
このようにして、ねじり平鋼がローラーの間を通過する時、ねじり平鋼の不均一なピッチは、ローラーの突起物の正確なピッチにより修正されて出て来る。
【０００６】
作業としては、図5に示すようなガイド（５）を作り、ねじり平鋼をガイドの入口側に乗せ、先端をパイプ（６）に通して、ローラーに噛み込ませ、ローラーを回転させれば、修正されたねじり平鋼が、ガイドの出口側のパイプを通って出て来るので、作業は至って簡単で早い。
この際ローラーの間隔、ガイドの高さは調整出来るようにし、次に突起物は、磨耗に強い超硬質の材料を使い、更に突起物の入口部分は低くして噛み込み易いようにし、以下順次高くしておく事が必要である。
【発明の効果】
【０００７】
これまで、正確なピッチが要求される、ねじり平鋼の製作は出来なかったが、この方法で修正すれば、ねじり平鋼を通すだけなので、短時間に修正し、正確なピッチのねじり平鋼が出来るようになった。
この為今迄対応が難しかった、搬送装置や建物内外の装飾品に、販路を広める事が出来るようになった。
【発明を実施するための最良の形態】
【０００８】
次にこの方法を使った修正機の実施例１を説明する。
【実施例１】
【０００９】
図９に示す如く、前述の二個のローラー（２）に、各々軸Ａ（７）を通し、軸Ａの両端を軸受Ａ（８）で支えて、台（９）の上に平行に並べ、間にねじり平鋼を挟むようにして設置する。次に各軸Ａの一方の端に、各々右ねじれのウォームホイル（10）を取付ける。最後にガイド（５）をローラーの間に設置する。
次に図10に示す如く、二個の右ねじれのウォーム（11）を、軸Ｂ（12）に通し、軸Ｂの両端を軸受Ｂ（13）で支え、ウォームとウォームホイルを各々噛み合わせて、台（9）の上に設置する。そして軸Ｂの一方の端にカップリング（14）を付けて、モーター（15）の出力軸と結合する。
【００１０】
作業としては、ねじり平鋼をガイド（５）の入口に載せ、先端をパイプ（６）に通して、二つのローラー（２）の間に挿入して噛み込ませ、モーターを回す。
すると軸Ｂ（12）が回ってウォーム（11）が回り、連結したウォームホイル（10）が回わる。左右のウォームとウォームホイルは、ねじれ方向が同じなので、二個のローラー（２）は矢印のように同じ方向に回る。
こうしてねじり平鋼は、ローラーの間を通る時に修正されて、ガイドの出口のパイプを通って出てくる。
【産業上の利用可能性】
【００１１】
これまで、ねじり平鋼を搬送用、装飾用に使用する事は、ビッチが不揃いの為、殆どやっていない。それが正確なビッチのねじり平鋼が出来る事により、ねじり平鋼が新しい分野に進出し、普及する事が期待出来る。
【図面の簡単な説明】
【００１２】
【図１】ねじり平鋼の平面図。
【図２】ローラーの平面図。
【図３】図２ローラーのＸ−Ｘ断面図。
【図４】図２ローラーのＹ−Ｙ断面図。
【図５】ガイドの斜視図。
【図６】ねじり平鋼、ローラー、ガイドの組合せ平面図。
【図７】図６のＸ−Ｘ断面図。
【図８】図７の拡大図。
【図９】実施例１修正機の平面図。
【図１０】実施例１修正機の側面図。
【符号の説明】
【００１３】
１    ねじり平鋼        
２    ローラー  
３    外周                
４    突起物
５    ガイド            
６    パイプ
７    軸Ａ             
８    軸受Ａ 
９    台          
１０  ウォームホイル
１１  ウォーム    
１２  軸Ｂ
１３  軸受Ｂ
１４  カップリング
１５  モーター    
Ｐ    ピッチ
【図１】
2008284595.tif 000003
【図２】
2008284595.tif 000004
【図３】
2008284595.tif 000005
【図４】
2008284595.tif 000006
【図５】
2008284595.tif 000007
【図６】
2008284595.tif 000008
【図７】
2008284595.tif 000009
【図８】
2008284595.tif 000010
【図９】
2008284595.tif 000011
【図１０】
2008284595.tif 000012